【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
各々が第１方向に延伸された複数のスキャン電極と複数のサスティン電極とが、前記第１方向に交差する第２方向に向けて交互に並設され、前記スキャン電極および前記サスティン電極の双方に対し、放電空間を挟んで立体交差する状態に複数のデータ電極が並設され、前記立体交差する各々の箇所に放電セルが構成されてなるプラズマディスプレイパネルに対し、
それぞれ輝度重み付けされた複数のサブフィールドの組み合わせからなる１ＴＶフィールドに、前記放電セルの壁電荷状態の初期化を図る初期化期間と、
当該初期化期間に続き、維持放電を生じさせる放電セルの選択を図る書込み期間と
を割り当ててなる方式を用い表示駆動を実行させるプラズマディスプレイ装置の駆動方法であって、
前記書込み期間では、前記複数のスキャン電極の各々に対し、時間順に走査パルスが印加されるとともに、前記複数のスキャン電極の内、期間における時間順で２番目以降に走査パルスが印加される少なくとも１本のスキャン電極に対し、走査パルスの印加に先行して、前記初期化期間において初期化された放電セルを再度初期化するための再初期化パルスを印加する
プラズマディスプレイ装置の駆動方法。
【請求項２】
各々が第１方向に延伸された複数のスキャン電極と複数のサスティン電極とが、前記第１方向に交差する第２方向に向けて交互に並設され、前記スキャン電極および前記サスティン電極の双方に対し、放電空間を挟んで立体交差する状態に複数のデータ電極が並設され、前記立体交差する各々の箇所に放電セルが構成されてなるプラズマディスプレイパネルに対し、
それぞれ輝度重み付けされた複数のサブフィールドの組み合わせからなる１ＴＶフィールドに、前記放電セルの壁電荷状態の初期化を図る初期化期間と、
当該初期化期間に続き、維持放電を生じさせる放電セルの選択を図る書込み期間と
を割り当ててなる方式を用い表示駆動を実行させるプラズマディスプレイ装置の駆動方法であって、
前記書込み期間では、前記複数のスキャン電極の各々に対し、時間順に走査パルスが印加され、
前記複数のスキャン電極を、走査パルスの印加の時間順に複数のグループに分け、走査パルスの印加の時間順で２番目以降となるグループに対しては、前記書込み期間において、前記走査パルスの印加に先行して、前記初期化期間において初期化された放電セルを再度初期化するための再初期化パルスを、当該グループに属する複数のスキャン電極に対し印加する
プラズマディスプレイ装置の駆動方法。
【請求項３】
前記初期化期間では、前記複数のスキャン電極に対し、１．０Ｖ／μｓｅｃ．以上１０．０Ｖ／μｓｅｃ．以下の範囲内の電圧変化率で電圧が上昇または降下する第１の傾斜波形部分を含む初期化パルスを印加し、
前記再初期化パルスは、前記初期化パルスにおける前記第１の傾斜波形部分と実質的に同じ電圧変化率を有し、且つ、開始電圧が前記第１の傾斜波形部分における終了電圧と実質的に同じである第２の傾斜波形部分を有する
請求項１または２に記載のプラズマディスプレイ装置の駆動方法。
【請求項４】
前記書込み期間における前記再初期化パルスは、前記スキャン電極への前記走査パルスの印加に対し、当該走査パルスのパルス幅の２倍以上の時間間隔をあけて先行し印加される
請求項１から３の何れかに記載のプラズマディスプレイ装置の駆動方法。
【手続補正２】
【補正対象書類名】明細書
【補正対象項目名】発明の名称
【補正方法】変更
【補正の内容】
【発明の名称】プラズマディスプレイ装置の駆動方法
【手続補正３】
【補正対象書類名】明細書
【補正対象項目名】００１１
【補正方法】変更
【補正の内容】
【００１１】
本発明は、上記問題を解決しようとなされたものであって、駆動回路の複雑化を抑えながら、初期化期間において形成された壁電荷および放電空間内の励起粒子、荷電粒子の減少に起因する書込み不良を低減し、高い画像品質を実現できるプラズマディスプレイ装置の駆動方法を提供することを目的とする。
【手続補正４】
【補正対象書類名】明細書
【補正対象項目名】００１３
【補正方法】変更
【補正の内容】
【００１３】
本発明に係るプラズマディスプレイ装置の駆動方法では、書込み期間において、複数のスキャン電極の各々に対し、時間順に走査パルスが印加されるとともに、複数のスキャン電極の内、期間における時間順で２番目以降に走査パルスが印加される少なくとも１本のスキャン電極に対し、走査パルスの印加に先行して、初期化期間において初期化された放電セルを再度初期化するための再初期化パルスを印加する。
【手続補正５】
【補正対象書類名】明細書
【補正対象項目名】００１４
【補正方法】変更
【補正の内容】
【００１４】
また、本発明に係るプラズマディスプレイ装置の駆動方法では、書込み期間において、複数のスキャン電極の各々に対し、時間順に走査パルスが印加され、複数のスキャン電極を、走査パルスの印加の時間順に複数のグループに分け、走査パルスの印加の時間順で２番目以降となるグループに対しては、書込み期間において、走査パルスの印加に先行して、初期化期間において初期化された放電セルを再度初期化するための再初期化パルスを、当該グループに属する複数のスキャン電極に対し印加する。
なお、上記グループに属する複数のスキャン電極に対しては、再初期化パルスを一斉に印加することもできる。
【手続補正６】
【補正対象書類名】明細書
【補正対象項目名】００１５
【補正方法】変更
【補正の内容】
【００１５】
本発明に係るプラズマディスプレイ装置の駆動方法では、書込み期間において、走査パルスの印加順が２番目以降となる少なくとも１本のスキャン電極に対し、走査パルスに先行して、再初期化パルスを印加することとしている。ここで、再初期化パルスは、上記のように、初期化期間において初期化された放電セルを再度初期化するためのパルスである。
【手続補正７】
【補正対象書類名】明細書
【補正対象項目名】００１８
【補正方法】変更
【補正の内容】
【００１８】
（本発明の構成および作用・効果およびバリエーション）
本発明に係るプラズマディスプレイ装置の駆動方法では、書込み期間において、走査パルスの印加順で２番目以降となる少なくとも１本のスキャン電極に対し、走査パルスに先行して、再初期化パルスを印加する。これにより、本発明に係るプラズマディスプレイ装置の駆動方法では、少なくとも再初期化パルスの印加を受けたスキャン電極において、初期化期間において形成された壁電荷および放電空間内の励起粒子、荷電粒子の減少に起因する書込み不良を低減し、高い画像品質が実現される。このような特徴を有する本発明は、次のようなバリエーションを採用することができる。
【手続補正８】
【補正対象書類名】明細書
【補正対象項目名】００１９
【補正方法】変更
【補正の内容】
【００１９】
上記本発明に係るプラズマディスプレイ装置の駆動方法では、初期化期間において、複数のスキャン電極に対し、１．０［Ｖ／μｓｅｃ．］以上１０．０［Ｖ／μｓｅｃ．］以下の範囲内の電圧変化率で電圧が上昇または降下する第１の傾斜波形部分を含む初期化パルスを印加し、再初期化パルスが、初期化パルスにおける第１の傾斜波形部分と実質的に同じ電圧変化率を有し、且つ、開始電圧が第１の傾斜波形部分における終了電圧と実質的に同じである第２の傾斜波形部分を有する、という構成を採用することができる。
また、上記本発明に係るプラズマディスプレイ装置の駆動方法では、書込み期間における再初期化パルスが、スキャン電極への走査パルスの印加に対し、当該走査パルスのパルス幅の２倍以上の時間間隔をあけて先行し印加される、という構成を採用することもできる。